(57)【要約】      （修正有）【課題】簡単に開閉でき、傘の長さを大幅に短縮でき、収納と携帯に便利な二段逆折り簡単開閉傘を提供する。【解決手段】二段逆折り簡単開閉傘は中棒１、親骨２、逆折り尾骨３、短骨４、連棒骨５、上ロクロ６、下ロクロ７を有し、中棒上に上ロクロ６、下ロクロ７を取り付け、上ロクロ６と親骨２上端は相互に関節接続し、親骨２底端は連接固定節２１を通して、逆折り尾骨３と連接し、短骨４は連棒骨５を通して、連接可動節３１を経て、逆折り尾骨３の一端と相互に連接し、短骨４の一端と親骨２中央部は相互に関節接続し、短骨４の反対端と下ロクロ７は相互に関節接続し、親骨２の末端に連接固定節２１を設置し、逆折り尾骨３内側に固定し、逆折り尾骨３末端に連接可動節３１を設置し、短骨４の末端に連接する。傘を閉じ下ロクロ７を引き動かすと、下ロクロ７に連接する短骨４は連棒骨５を押して動かし、２個の連接節２１、３１を通して、逆折り尾骨３を機械的に逆折りする。【選択図】図２
0003229979.tif 000002
【実用新案登録請求の範囲】
【請求項１】
二段逆折り簡単開閉傘であって、中棒、親骨、逆折り尾骨、短骨、連棒骨、上ロクロ、下ロクロを有し、
前記中棒上には、上ロクロ、下ロクロを取り付け、上ロクロと親骨上端は相互に関節接続し、親骨底端は、連接固定節を通して、逆折り尾骨と連接し、短骨は、連棒骨を通して、連接可動節を経て、逆折り尾骨一端と相互に連接し、短骨一端と親骨中央部は相互に関節接続し、短骨の反対端と下ロクロは相互に関節接続する
ことを特徴とする二段逆折り簡単開閉傘。
【請求項２】
前記逆折り尾骨の内側に近い一端には、可動連接の第一孔位置を開設し、親骨と逆折り尾骨が連接する一端には、逆折り尾骨を挿入する第二孔位置を設置し、
前記第二孔位置内には、回転軸を設置し、前記回転軸は、逆折り尾骨の第一孔位置内に取り付けられる
ことを特徴とする請求項１に記載の二段逆折り簡単開閉傘。
【請求項３】
前記親骨の中央部には、短骨の一端と関節接続する第一連接位置を設置することを特徴とする請求項１に記載の二段逆折り簡単開閉傘。
【請求項４】
前記短骨上端位置には、連棒骨と関節接続する第二連接位置を設置することを特徴とする請求項１に記載の二段逆折り簡単開閉傘。
【請求項５】
前記上ロクロは、中棒の頂部に取り付け、下ロクロは、中棒上に設置されることを特徴とする請求項１に記載の二段逆折り簡単開閉傘。
【請求項６】
前記連接骨は、ファイバー、カーボンファイバー、玉鋼、スチール、アルミ合金、樹脂の内の一種を採用することを特徴とする請求項１に記載の二段逆折り簡単開閉傘。
【考案の詳細な説明】
【技術分野】
【０００１】
本考案は生活用品の技術領域に関し、特に二段逆折り簡単開閉傘に関する。
【背景技術】
【０００２】
現在市場では二段逆折りタイプの傘形に人気が集まっている。
そのため、二段逆折り傘が流行しているが、実はそれには以下の問題が存在する。
【０００３】
一つは、傘を開閉するステップが非常に煩雑で、他の折り畳み傘のように開閉が簡単でなく、時間がかかり、使用者にとって不便である。
同時に逆折り傘であるため、閉じる動作が一回では行えず、傘を閉じる時に傘上の水滴が傘布を伝って使用者の手に流れ、或いは衣服を濡らしてしまい、使用者に不便をもたらす。
【考案の概要】
【考案が解決しようとする課題】
【０００４】
前記先行技術には、開閉ステップが非常に煩雑で、他の折り畳み傘のように簡単でなく時間がかかり、使用者にとって不便で、逆折り傘であるため、閉じる動作が一回では行えず、傘を閉じる時に傘上の水滴が傘布を伝って使用者の手に流れ、或いは衣服を濡らしてしまい、使用者に不便をもたらすという欠点がある。
【課題を解決するための手段】
【０００５】
本考案は、連接骨を設計することで、傘そのものの短骨を通して、連接骨は逆折り尾骨を連動し、こうしてこのタイプの傘の簡単な開閉を達成し、傘の長さを大幅に短縮でき、収納と携帯に便利で、しかも傘の形を変えることがない二段逆折り簡単開閉傘に関する。
【０００６】
本考案による二段逆折り簡単開閉傘は、中棒、親骨、逆折り尾骨、短骨、連棒骨、上ロクロ、下ロクロを有する。
中棒上には、上ロクロ、下ロクロを取り付け、上ロクロと親骨上端は相互に関節接続し、親骨底端は、連接固定節を通して、逆折り尾骨と連接し、短骨は、連棒骨を通して、連接可動節を経て、逆折り尾骨一端と相互に連接する。
短骨一端と親骨中央部は相互に関節接続し、短骨の反対端と下ロクロは相互に関節接続する。
【０００７】
好ましくは、該逆折り尾骨の内側に近い一端には、可動連接の第一孔位置を開設する。
親骨と逆折り尾骨が連接する一端には、逆折り尾骨を挿入する第二孔位置を設置する。
該第二孔位置内には、回転軸を設置し、該回転軸は、逆折り尾骨の第一孔位置内に取り付けられる。
【０００８】
好ましくは、該親骨の中央部には、短骨の一端と関節接続する第一連接位置を設置する。
【０００９】
好ましくは、該短骨上端位置には、連棒骨と関節接続する第二連接位置を設置する。
【００１０】
好ましくは、該上ロクロは、中棒の頂部に取り付け、下ロクロは、中棒上に設置される。
【００１１】
好ましくは、該連接骨は、ファイバー、カーボンファイバー、玉鋼、スチール、アルミ合金、樹脂の内の一種を採用する。
【００１２】
従来の技術と比較した本考案の効果は以下の通りである。
本考案親骨の末端には、連接固定節を設置し、逆折り尾骨内側に固定し、逆折り尾骨末端には、連接可動節を設置し、短骨の末端に連接し、傘を閉じ、下ロクロを引き動かすと、下ロクロに連接する短骨は連棒骨を押して動かし、２個の連接節を通して、逆折り尾骨を機械的に收縮させ、こうして傘を逆折りする目的を達成する。
二段逆折り式傘構造中に連接骨を設計して加えることで、傘そのものの短骨を通して、連接骨は逆折り尾骨を連動し、こうしてこのタイプの傘の簡単な開閉を達成し、傘の長さを大幅に短縮でき、収納と携帯に便利で、しかも傘の形を変えることがなく、６?２４本の傘骨フレーム等の多数の傘骨フレームに適用できる。
【図面の簡単な説明】
【００１３】
【図１】本考案による二段逆折り簡単開閉傘の構造模式図である。
【図２】本考案による二段逆折り簡単開閉傘逆折り尾骨の逆折り構造模式図である。
【考案を実施するための形態】
【００１４】
（一実施形態）
本考案の実施形態或いは従来の技術中の技術方案について明確に説明するため、以下では、実施形態或いは従来の技術に対して、図を用いて簡単に紹介する。
図は本考案の実施形態に過ぎず、本領域の通常の技術人員であれば創造的労働をしなくとも、これら図示の構造に基づき他の図を導き出すことができる。
【００１５】
以下では本考案の実施形態を示す図により、本考案の実施形態中の技術方案について明確、完全に説明する。
説明する実施形態は本考案の実施形態の一部に過ぎず、実施形態のすべてでないことは明らかである。
本考案中の実施形態に基づき、本領域の通常の技術人員であれば、創造的労働をしなくとも、すべての他の実施形態を導き出すことができ、これらもすべて本考案保護の範囲に含まれる。
【００１６】
本考案の実施形態における方向性に関わる指示（上、下、左、右、前、後など）は、ある特定の状態（図示参照）における各構成部材間の相対位置関係、運動状況等の説明に用いるだけで、その特定の状態が変化した場合には、その方向性指示もそれに応じて変化する。
【００１７】
本考案の実施形態において“第一”、“第二”等の記述がある場合には、それは目的の記述に用いるだけで、その相対的な重要性を指示または暗示、或いは技術特?の数を示すものであるとは理解できない。
これにより、“第一”、“第二”と限定された特?は、少なくとも１個の該特?を含むと明示或いは暗示している。
各実施形態の間の技術方案は相互に結合できるが、本領域の通常の技術人員が実現可能であることを基礎とし、技術方案の結合に相互矛盾が出現、或いは実現不可能な時には、この種の技術方案の結合は存在しないと認定すべきで、本考案要求の保護範囲には含まれない。
【００１８】
実施形態１
図１、２に示す通り、本考案による二段逆折り簡単開閉傘は、中棒１、親骨２、逆折り尾骨３、短骨４、連棒骨５、上ロクロ６、下ロクロ７を有する。
中棒１上には、上ロクロ６、下ロクロ７を取り付け、上ロクロ６と親骨２上端は相互に関節接続し、親骨２底端は、連接固定節２１を通して、逆折り尾骨３と連接し、短骨４は、連棒骨５を通して、連接可動節３１を経て、逆折り尾骨３一端と相互に連接する。
短骨４一端と親骨２中央部は相互に関節接続し、短骨４の反対端と下ロクロ７は相互に関節接続する。
【００１９】
具体的には、逆折り尾骨３の内側に近い一端には、可動連接の第一孔位置を開設する。
親骨２と逆折り尾骨３が連接する一端には、逆折り尾骨３を挿入する第二孔位置を設置する。
第二孔位置内には、回転軸を設置し、回転軸は、逆折り尾骨３の第一孔位置内に取り付けられる。
具体的には、親骨２の中央部には、短骨４の一端と関節接続する第一連接位置を設置する。
具体的には、短骨４上端位置には、連棒骨５と関節接続する第二連接位置を設置する。
具体的には、上ロクロ６は、中棒１の頂部に取り付け、下ロクロ７は、中棒１上に設置する。
具体的には、連接骨５は、ファイバー、カーボンファイバー、玉鋼、スチール、アルミ合金、樹脂の内の一種を採用する。
具体的には、連接骨５は、ファイバー、カーボンファイバー、玉鋼、スチール、アルミ合金、樹脂の内の一種を採用する。
【００２０】
本考案の作動原理及び使用プロセスは以下の通りである。
本考案の使用時には、親骨２の末端に、連接固定節２１を設置し、逆折り尾骨３内側に固定する。
逆折り尾骨３末端に、連接可動節３１を設置し、短骨４の末端に連接する。
傘を閉じ、下ロクロ７を引き動かすと、下ロクロ７に連接する短骨４は連棒骨５を押して動かし、２個の連接節を通して、逆折り尾骨３を機械的に收縮させ、こうして傘を逆折りする目的を達成する。
【００２１】
二段逆折り式傘構造中に連接骨５を設計して加えることで、傘そのものの短骨４を通して、連接骨５は逆折り尾骨３を連動し、こうしてこのタイプの傘の簡単な開閉を達成し、傘の長さを大幅に短縮でき、収納と携帯に便利で、しかも傘の形を変えることがない。
【００２２】
最後に以下の通り説明する。
上記は本考案の実施形態にすぎず、本考案を限定するものではなく、前述の実施形態は、本考案について詳細な説明を行なっているが、本領域の技術人員にとっては、前述の各実施形態記載の技術方案に基づき修正が可能で、或いは一部の技術特?に対して同等の入れ替えを行うことができる。
本考案の精神、原則内で行うあらゆる修正、同等の入れ替え、改善等は、すべて本考案の保護範囲に含まれる。
【符号の説明】
【００２３】
１  中棒、
２  親骨、
３  逆折り尾骨、
４  短骨、
５  連棒骨、
６  上ロクロ、
７  下ロクロ、
２１  連接固定節、
３１  連接可動節。
【図１】
0003229979.tif 000003
【図２】
0003229979.tif 000004